(57)【要約】【課題】  従来の蝶番の改良であって、ばね部材を用いた比較的に簡易な構成を有し、ワンタッチで分離可能な一対の羽根を備える蝶番の提供。【解決手段】  第１羽根１２には、ピン１５と直交する方向に延びる板ばね２１が配置され、板ばね２１は、第１羽根１２の外側縁Ｓ２沿いの背面に固定されている基端部２４と、基端部２４から表面側Ｆへ凸曲する操作部２５と、操作部２５に連なって第１ナックル管１７内に位置するとともに、ピン１５が有する被係止部３１ａに離脱可能に係止するための係止部２６とを有している。【選択図】図１
2011094461.tif 000002
【特許請求の範囲】
【請求項１】
仮想中心軸線と、表面側及び裏面側と、第１端及び第２端とを有し、前記仮想中心軸線上に位置する第１ナックル管部を有する第１羽根と、前記仮想中心軸線上に位置する第２ナックル管部を有し、前記第１羽根と前記仮想中心軸線の方向に隣接する第２羽根と、前記第１及び第２ナックル管部に挿入されているピンとを含む蝶番において、
前記第２羽根は、前記第２ナックル管部に前記ピンの長さのほぼ半分が固定的に挿入されており、前記第１羽根は、前記第１ナックル管部に前記ピンの長さの残りのほぼ半分が抜挿可能に挿入されており、
前記第１羽根には、前記ピンと直交する方向に延びる板ばねが配置され、
前記板ばねは、前記第１羽根の外側縁に固定されている基端部と、前記基端部から前記表面側へ凸曲する操作部と、前記操作部に連なって前記第１ナックル管内に位置するとともに、前記ピンが有する被係止部に離脱可能に係止するための係止部とを有しており、
前記被係止部は、前記操作部が前記表面側から前記裏面側に押圧されることにより、前記被係止部に対する係止を解除され、これにより、前記第１及び第２羽根が相対的に分離可能であることを特徴とする前記蝶番。
【請求項２】
仮想中心軸線と、表面側及び裏面側と、第１端及び第２端とを有し、前記仮想中心軸線上に位置する第１ナックル管部を有する第１羽根と、前記仮想中心軸線上に位置する第２ナックル管部を有し、前記第１羽根と前記仮想中心軸線の方向に隣接する第２羽根と、前記第１及び第２ナックル管部に挿入されているピンとを含む蝶番において、
前記第１ナックル管部が位置する前記第１羽根のほぼ中央部には、前記第１ナックル管部と直交する方向へ延びる板ばねが配置されており、
前記第２ナックル管部は、前記仮想中心軸線に沿う方向に離間対向する第２Ａナックル管部及び第２Ｂナックル管部から構成されており、
前記第２Ａナックル管部及び前記第２Ｂナックル管部の間には前記第１ナックル管部が位置し、
前記第１ナックル管部と前記第２Ａ及び第２Ｂナックル管部には、前記ピンが挿抜可能に挿入されており、
前記板ばねは、前記第１羽根の外側縁に固定されている基端部と、前記基端部から前記表面側へ凸曲する操作部と、前記操作部に連なって前記第１ナックル管内に位置するとともに、前記ピンが有する被係止部に離脱可能に係止するための係止部とを有しており、
前記被係止部は前記操作部が前記表面側から前記裏面側に押圧されることにより、前記被係止部に対する係止を解除され、これにより、前記第１及び第２羽根が相対的に分離可能であることを特徴とする前記蝶番。
【請求項３】
前記被係止部は、前記ピンの外径よりも小さい径の頸部を形成するピンの内端縁である請求項１又は２記載の蝶番。
【請求項４】
前記板ばねは、前記第１端の近傍に位置する請求項１に記載の蝶番。
【請求項５】
前記板ばねは、前記第１及び第２端の間のほぼ中央部に位置する請求項２記載の蝶番。
【請求項６】
前記板ばねは、前記第１ナックル管部の裏面側から前記第１羽根の外縁部の近傍へ延びる窓孔に位置するとともに、前記板ばねの前記係止部が、前記窓孔に連なり前記第１ナックル管部の裏面側に位置する開口を経て前記第１ナックル管部内に進入している請求項１〜５のいずれかに記載の蝶番。
【発明の詳細な説明】
【技術分野】
【０００１】
本発明は、蝶番、特に、扉や配電盤等に使用される蝶番に関する。
【背景技術】
【０００２】
従来、扉や配電盤等に使用される、ばね部材を用いて一対の羽根を互いに係合させる構造を備える蝶番は公知である。たとえば、特許文献１には、ナックル管を有する一対の羽根と、ナックル管内に挿入されたピンと、羽根に固定されたばね部材とからなる蝶番が開示されている。
【先行技術文献】
【特許文献】
【０００３】
【特許文献１】特開２００１−２７９９９０号公報
【発明の概要】
【発明が解決しようとする課題】
【０００４】
特許文献１に開示の蝶番では、ピンにその仮想中心軸線方向において離間対向する少なくとも２つの溝が形成されている。ピンの溝にばね部材を挿入することによってピンがばね部材に付勢されてナックル管の内壁に押し付けられ、ピンがナックル管内に保持されている。
【０００５】
本発明の課題は、従来の蝶番の改良であって、ばね部材を用いた比較的に簡易な構成を有し、ワンタッチで分離可能な一対の羽根を備える蝶番を提供することにある。
【課題を解決するための手段】
【０００６】
前記課題を解決するために、本願の第１及び第２発明は、仮想中心軸線と、表面側及び裏面側と、第１端及び第２端とを有し、前記仮想中心軸線上に位置する第１ナックル管部を有する第１羽根と、前記仮想中心軸線上に位置する第２ナックル管部を有し、前記第１羽根と前記仮想中心軸線の方向に隣接する第２羽根と、前記第１及び第２ナックル管部に挿入されているピンとを含む蝶番の改良に関わる。
【０００７】
本願の第１発明の特徴とするところは、前記第２羽根は、前記第２ナックル管部に前記ピンの長さのほぼ半分が固定的に挿入されており、前記第１羽根は、前記第１ナックル管部に前記ピンの長さの残りのほぼ半分が抜挿可能に挿入されており、前記第１羽根には、前記ピンと直交する方向に延びる板ばねが配置され、前記板ばねは、前記第１羽根の外側縁に固定されている基端部と、前記基端部から前記表面側へ凸曲する操作部と、前記操作部に連なって前記第１ナックル管内に位置するとともに、前記ピンが有する被係止部に離脱可能に係止するための係止部とを有しており、前記被係止部は、前記操作部が前記表面側から前記裏面側に押圧されることにより、前記被係止部に対する係止を解除され、これにより、前記第１及び第２羽根が相対的に分離可能であることにある。
【０００８】
本願の第２発明の特徴とするところは、前記第１ナックル管部が位置する前記第１羽根のほぼ中央部には、前記第１ナックル管部と直交する方向へ延びる板ばねが配置されており、前記第２ナックル管部は、前記仮想中心軸線に沿う方向に離間対向する第２Ａナックル管部及び第２Ｂナックル管部から構成されており、前記第２Ａナックル管部及び前記第２Ｂナックル管部の間には前記第１ナックル管部が位置し、前記第１ナックル管部と前記第２Ａ及び第２Ｂナックル管部には、前記ピンが挿抜可能に挿入されており、前記板ばねは、前記第１羽根の外側縁に固定されている基端部と、前記基端部から前記表面側へ凸曲する操作部と、前記操作部に連なって前記第１ナックル管内に位置するとともに、前記ピンが有する被係止部に離脱可能に係止するための係止部とを有しており、前記被係止部は前記操作部が前記表面側から前記裏面側に押圧されることにより、前記被係止部に対する係止を解除され、これにより、前記第１及び第２羽根が相対的に分離可能であることにある。
【０００９】
本願の第１及び第２発明は、前記特徴とする構成のほかに、以下の好ましい実施の形態を含む。
（１）前記被係止部は、前記ピンの外径よりも小さい径の頸部を形成するピンの内端縁である。
（２）前記板ばねは、前記第１端の近傍に位置する。
（３）前記板ばねは、前記第１及び第２端の間のほぼ中央部に位置する。
（４）前記板ばねは、前記第１ナックル管部の裏面側から前記第１羽根の外縁部の近傍へ延びる窓孔に位置するとともに、前記板ばねの前記係止部が、前記窓孔に連なり前記第１ナックル管部の裏面側に位置する開口を経て前記第１ナックル管部内に進入している。
【発明の効果】
【００１０】
本発明では、板ばねの操作部を蝶番の表面側から裏面側に向かって押圧することによって、ワンタッチで板ばねの係止部とピンに形成された被係止部との係止を解除することができるので、第１及び第２羽根を比較的容易に分離することができる。
【図面の簡単な説明】
【００１１】
【図１】第１実施形態における蝶番の使用状態を示す斜視図。
【図２】蝶番の正面図。
【図３】蝶番の背面図。
【図４】蝶番の分解平面図。
【図５】ばね部材を上方から見た平面図。
【図６】図２のＶＩ−ＶＩ線断面図。
【図７】ばね部材とピンとの係止を解除した状態を示す図６と同様の断面図。
【図８】図２のＶＩＩＩの一点鎖線で示した範囲の部分拡大斜視図。
【図９】第２実施形態における蝶番の背面図。
【図１０】第２実施形態における蝶番の分解図。
【発明を実施するための形態】
【００１２】
＜第１実施形態＞
図１は、第１実施形態における蝶番１０の使用状態を示す斜視図、図２は、蝶番１０の正面図、図３は、蝶番１０の背面図、図４は、蝶番１０の分解平面図、図５は、板ばね２１を上方から見た平面図、図６は、図２のＶＩ−ＶＩ線断面図、図７は、板ばね２１とピン１５との係止を解除した状態を示す図６と同様の断面図、図８は、図２のＶＩＩＩの一点鎖線で示した部分拡大図である。なお、図２の正面図において、ピン１５は破線で示されている。
【００１３】
図１〜４に示すとおり、蝶番１０は、仮想中心軸線Ｐと、表面側Ｆ及び裏面側Ｂと、第１及び第２端Ｅ１，Ｅ２とを有し、キャビネット１１の本体１１ａに固定的に取り付けられた第１羽根１２と、キャビネット１１の蓋１１ｂに旋回可能に取り付けられた第２羽根１３と、一対の羽根１２，１３と一体的に形成されたナックル管１４と、ナックル管１４内に挿入されたピン１５とを有する。
【００１４】
第１羽根１２は、ピン１５とほぼ同じ長さであって、基側縁Ｓ１及び外側縁Ｓ２とを有し、キャビネット１１の本体１１ａに固定される羽根部１６と、羽根部１６の長さのほぼ半分の長さを有し、羽根部１６と一体的に形成された円筒状の第１ナックル管部１７とを有する。羽根部１６には、蝶番１０をキャビネット１１の本体１１ａにビスなどの固着部材を介して固定するためのビス孔１８ａ，１８ｂが形成されている。
【００１５】
第１羽根１２の第１端Ｅ１の近傍には、第１ナックル管部１７の背面から羽根部１６の外側縁Ｓ２近傍へ延びる矩形の窓孔１９が形成されている。第１ナックル管部１７の背面は、窓孔１９に連通する開口２０が形成されている。窓孔１９に隣接する羽根部１６の外側縁Ｓ２沿いの背面には、平板材から屈曲形成された板ばね２１の基端部２４が溶接又は接着によって固定されている。また、羽根部１６の窓孔１９内には、窓孔１９を横切って第１端Ｅ１の側へ突出する舌片２２が形成されている。
【００１６】
図２，３及び５に示されているとおり、板ばね２１は、ピン１５と直交する方向に延びている。具体的には、板ばね２１は、第１羽根１２の羽根部１６の外側縁Ｓ２の近傍、すなわち、窓孔１９の外側部に固定された基端部２４と、窓孔１９に隣接して表面側Ｆへ斜めに屈曲して延びる操作部２５と、操作部２５に連なるほぼ凹形の係止部２６とを有する。また、操作部２５の長さ方向へ沿う側には裏面側Ｂへ突出していて、操作部２５に強度を持たせ、その変形を防止するための板状の脚片２７が形成されている。図１に示すように、板ばね２１の操作部２５は、羽根部１６に形成された窓孔１９内に位置して表面側Ｆへ突出している。板ばね２１は、基端部２４を起点として、板ばね２１の弾性に抗して操作部２５を表面側Ｆから裏面側Ｂへ押圧して裏面側Ｂに移動させることができるとともにその押圧を解くと、表面側Ｆへ復帰させることができる。
【００１７】
再び、図１〜４を参照すれば、第２羽根１３は、第１羽根１２と、仮想中心軸線Ｐの方向においてほぼ対称であって、ピン１５の長さとほぼ同じ長さを有する。また、第２羽根１３は、基側縁Ｓ１及び外側縁Ｓ２を有し、キャビネット１１の蓋１１ｂに固定された、旋回可能な羽根部２８と、羽根部２８と一体的に形成された第２ナックル管部２９とを有する。第２ナックル管部２９内には仮想中心軸線Ｐ方向へ延びるピン１５のほぼ半分が固定的に挿入されている。具体的には、ピン１５は、第２ナックル管部２９内においてかしめ止め、または溶接若しくは接着によって固定されているとともに、第１羽根１２の第１ナックル管部１７にそのほぼ半分が挿抜可能に挿入されている。羽根部２８には、第２羽根１３を蓋１１ｂにビスを介して固定するためのビス孔１８ｃ，１８ｄが形成されている。なお、ピン１５は、第２ナックル管部２９内において挿抜可能に挿入されていてもよいし、第１ナックル管部１７と別体ではなく一体的に形成されていてもよい。
【００１８】
ピン１５は、第２ナックル管部２９から仮想中心軸線Ｐ方向へ延びる大径部３０と、先端に位置する截頭円錐状の頭部３１とを有する。大径部３０と頭部３１との間には、これらよりも小径であってピン１５の外周方向に延びる頸部３２が形成されている。頸部３２は、第１羽根１２の第１ナックル管部１７の開口２０と対向する位置に形成されている。また、大径部３０の外径と頭部３１の内端縁３１ａ（係止部２６に対応する被係止部）の外径とは、第１ナックル管部１７の内径とほぼ同じ大きさであって、大径部３０の外周面と頭部３１の内端縁３１ａの外周面とは、第１ナックル管部１６内においてその内周面に摺動可能に接触している。
【００１９】
図６及び図８に示すとおり、蝶番１０の常態においては、板ばね２１の係止部２６は、第１ナックル管部１７の開口２０から第１ナックル管部１７内に進入するとともに、頸部３２の近傍に進入し、その屈曲した先端２６ａが頭部３１の内端縁３１ａの一部に係止されている。これにより、ピン１５が第１ナックル管部１７内で保持されるので、蝶番１０の使用中に、ピン１５が第１ナックル管部１７から不用意に脱抜して、第１羽根１２と第２羽根１３とが分離されるおそれはない。
【００２０】
また、図７に示すように、キャビネット１１の本体１１ａから蓋１１ｂを外すためには、第１羽根１２から第２羽根１３を分離する必要があり、その場合には、板ばね２１の操作部２５を表面側Ｆから裏面側Ｂに向かって操作者が指で押圧することによって、係止部２６の先端２６ａがピン１５の頭部３１の内端縁３１ａから離脱し、頸部３２から退却させて係止を解除する。係止が解かれることによって、ピン１５を第１ナックル管部１７から容易に引き抜くことができる。
【００２１】
また、板ばね２１の操作部２５の裏面側Ｂには舌片２２が設けられているので、操作部２５の裏面側Ｂへの過移動が規制される。このように、ワンタッチで第１羽根１２と第２羽根１３とを分離することができるので、キャビネット１１の蓋１１ｂの交換時等において、便利である。
【００２２】
＜第２実施形態＞
図９は、第２実施形態における蝶番１０の正面図、図１０は、第２実施形態における蝶番１０の分解図である。本実施形態における蝶番１０の基本的な構成は、第１実施形態におけるそれと同様であるので、相違する点について以下に述べる。
【００２３】
第１羽根１２には、第１ナックル管部１７が、その仮想中心軸線Ｐ方向の略中央部に形成されており、第２羽根１３には、仮想中心軸線Ｐ方向において互いに離間対向する第２Ａナックル管部２９Ａと第２Ｂナックル管部２９Ｂとが形成されている。第１羽根１２の第１ナックル管部１７は、第２羽根１３の第２Ａナックル管部２９Ａと第２Ｂナックル管部２９Ｂとの間に配置されており、それらによって仮想中心軸線Ｐの方向に延びる一連のナックル管１４が形成されている。
【００２４】
ナックル管１４内にはピン１５が挿入されており、ピン１５には、その仮想中心軸線Ｐ方向の略中央部に位置する頸部３２が形成されており、第１ナックル管部１７の開口２０から第１ナックル管部１７内に進入した係止部２６が頸部３２に進入して、頸部３２を形成する大径部３０の内端縁３０ａ（被係止部）に係止されることは、第１実施形態と同じである。
【００２５】
なお、第１及び第２実施形態で示したように、ワンタッチで第１羽根１２と第２羽根１３とを分離できる限りにおいては、ピン１５の頸部３２を図示した態様以外の所要の位置に１つ又は複数形成し、それに応じて蝶番１０の各構成要素の形状、配置等を変更してもよい。また、その場合には、板ばね２１の形状として図示した態様以外のものを採用することもできる。
【符号の説明】
【００２６】
１０  蝶番
１２  第１羽根
１３  第２羽根
１５  ピン
１７  第１ナックル管部
２９  第２ナックル管部
２９Ａ  第２Ａナックル管部
２９Ｂ  第２Ｂナックル管部
２１  板ばね
２５  操作部
２６  係止部
３０ａ  大径部の内端縁（被係止部）
３１ａ  頭部の内端縁（被係止部）
３２  頸部
Ｐ    仮想中心軸線
【図１】
2011094461.tif 000003
【図２】
2011094461.tif 000004
【図３】
2011094461.tif 000005
【図４】
2011094461.tif 000006
【図５】
2011094461.tif 000007
【図６】
2011094461.tif 000008
【図７】
2011094461.tif 000009
【図８】
2011094461.tif 000010
【図９】
2011094461.tif 000011
【図１０】
2011094461.tif 000012